(57)【要約】【目的】  装置の組み立てを容易にし、かつ筐体と配管接続金具及び取付板との間の隙間から冷たい外気が侵入して室外設置型ヒートポンプユニットの沸き上げ・水熱交換効率が低下してしまうことを防止できるようにする。【構成】  筐体の開口部に取付板を介して配置された配管接続金具に対して、前記配管接続金具の取付板より外側（筐体より外側）に露出又は突出する部分を覆い、且つ、前記筐体の前記配管接続金具が配置される開口部の一部から成る隙間であって前記露出又は突出する部分の近傍の隙間を外部に対して塞ぐようなサイズ及び形状に形成されて成る保温キャップを、取り付けるようにしたことを特徴とする、室外設置型ヒートポンプユニット、及びそのような保温キャップである。【選択図】    図４
2013213618.tif 000002
【特許請求の範囲】
【請求項１】
屋外などの室外に設置され、外部の貯水タンク及び／又は暖房用放熱器から送られた水を熱交換して温水にするための熱交換器を収容した室外設置型ヒートポンプユニットであって、
前記熱交換器を収容し、後記の配管接続金具を配置するための開口部を備えた筐体と、
前記筐体外の貯水タンク及び／又は暖房用放熱器との間で熱交換前の水及び熱交換後の温水をそれぞれ移動させるための外部配管と、前記筐体内の熱交換器との間で熱交換前の水及び熱交換後の温水をそれぞれ移動させるための内部配管とを、それぞれ互いに接続する配管接続金具と、
前記配管接続金具を自らの切り欠き内又はこの切り欠きと連通した孔内に配置した状態で自らに固定し、自らが前記筐体の開口部の少なくとも大部分を覆うように、自らの外周又はその近傍部分が前記筐体の開口部の外周縁部又はその近傍部分に固定される取付板であって、前記配管接続金具の前記内部配管と接続される内部接続口及びその周辺部分が前記筐体の内側に配置され、前記配管接続金具の前記外部配管と接続される外部接続口及びその周辺部分が前記筐体の外側に配置され突出されるように、前記配管接続金具を前記筐体の開口部に配置するための取付板と、
前記配管接続金具の前記取付板よりも外側に露出又は突出する部分を覆い、且つ、前記筐体の前記配管接続金具が配置される開口部の一部から成る隙間であって前記露出又は突出する部分の近傍の隙間を外部に対して塞ぐようなサイズ及び形状に形成された保温キャップと、
を備えたことを特徴とする室外設置型ヒートポンプユニット。
【請求項２】
請求項１において、前記保温キャップは、前記露出又は突出する部分に対して２つの方向から取り付けられるような２つの保温キャップ片に分割されており、その各分割された保温キャップ片には、それぞれ、それらが互いに前記２つの方向から取り付けられたとき前記露出又は突出する部分が収容される空洞部を形成可能な凹部が形成されている、ことを特徴とする室外設置型ヒートポンプユニット。
【請求項３】
室外設置型ヒートポンプユニットの筐体開口部に配置される配管接続金具を保温するための配管接続金具用保温キャップであって、
屋外などの室外に設置され、外部の貯水タンク及び／又は暖房用放熱器から送られた水を熱交換して温水にするための熱交換器を収容した室外設置型ヒートポンプユニットの筐体の開口部に配置され、前記筐体外の貯水タンク及び／又は暖房用放熱器との間で熱交換前の水及び熱交換後の温水をそれぞれ移動させるための外部配管と、前記筐体内の熱交換器との間で熱交換前の水及び熱交換後の温水をそれぞれ移動させるための内部配管とを、それぞれ互いに接続する配管接続金具を、外気に対して保温するために用いられ、
前記筐体の開口部の少なくとも大部分を覆うように前記筐体に固定される取付板の切り欠き内又はこの切り欠きと連通した孔内に配置された状態で前記取付板に固定され、前記内部配管と接続される内部接続口及びその周辺部分が前記筐体の内側に配置され、前記外部配管と接続される外部接続口及びその周辺部分が前記筐体の外側に配置され突出されるように、前記取付板に固定された状態で前記筐体の開口部に配置される配管接続金具の、前記取付板よりも外側に露出又は突出する部分を保温するために、前記露出又は突出する部分に取り付けられ、
前記露出又は突出する部分を覆い、且つ、前記筐体の前記配管接続金具が配置される開口部の一部から成る隙間であって前記露出又は突出する部分の近傍の隙間を外部に対して塞ぐようなサイズ及び形状に形成されて成ることを特徴とする、配管接続金具用保温キャップ。
【請求項４】
請求項３の配管接続金具用保温キャップであって、
前記露出又は突出する部分に対して２つの方向から取り付けられるような２つの保温キャップ片から成り、前記各保温キャップ片には、それぞれ、それらが互いに前記２つの方向から取り付けられたとき前記露出又は突出する部分が収容される空洞部を形成可能な凹部が形成されていることを特徴とする、配管接続金具用保温キャップ。
【発明の詳細な説明】
【技術分野】
【０００１】
本発明は給湯機などに使用される室外設置型ヒートポンプユニット及びその配管接続金具用の保温キャップに関する。
【背景技術】
【０００２】
従来より、水を熱交換して温水を供給する給湯機が知られている。このような給湯機は、例えば、上水道を受け入れる入水部とユーザー側に温水などを供給する給湯部（出水部）と温水及び水を貯蓄する貯水タンクとから成る貯水ユニットと、前記貯水ユニットからの水をヒートポンプなどで取得される熱と熱交換させて温水として前記貯水ユニットに送るようにした室外（屋外など）に設置されるタイプのヒートポンプユニットとから構成されている。
【０００３】
図５は特許文献１に示す従来の給湯機に使用される室外設置型ヒートポンプユニットの筐体の上面を外した状態を示す模式図である。図５において、３０は室外設置型のヒートポンプユニット、４２は水と冷媒の熱とを熱交換するための水熱交換器、３１は外部の貯水ユニットから水が送られてくる入水側外部配管、３４は外部の貯水ユニットに前記ヒートポンプユニット３０からの温水を送る出水側外部配管、３２は前記入水側外部配管３１からの水を前記水熱交換器４２に送るための筐体内の入水側内部配管、３３は前記水熱交換器４２で熱交換された温水を前記出水側外部配管３４に送るための筐体内の出水側内部配管、５１は前記入水側外部配管３１と前記入水側内部配管３２を接続するための入水側接続金具、５３は前記出水側外部配管３４と前記出水側内部配管３３を接続するための出水側接続金具である。また、２３は前記水熱交換器４２を支持する支持台、２４は前記水熱交換器４２の周囲に配置された断熱カバー、４１はヒートポンプ冷媒回路を構成する圧縮機、４４はヒートポンプ冷媒回路を構成する空気熱交換器であってＣＯ２などの冷媒と大気の熱とを熱交換する空気熱交換器、４５は前記空気熱交換器４４に空気を送るファン、２２はファンモーター、２１は仕切板、２０はこれらの各部品を収容する筐体である。
【０００４】
この従来のヒートポンプユニット３０においては、前記各接続金具５１，５３は、次に述べる取付板２５により、前記筐体２０の開口部（図示せず）の中に配置されている。すなわち、前記各接続金具５１，５３は、いったん略平板状の取付板２５の略中央に形成された各孔にそれぞれ挿入された後にこの取付板２５にネジ（図示せず）などで固定され、その後、前記取付板２５の外周部が、ネジ２７などにより、前記筐体２０の前記開口部の外周縁部又はその近傍部分に固定される。これにより、前記各接続金具５１，５３が、前記取付板２５を介して前記筐体２０に固定される。
【先行技術文献】
【特許文献】
【０００５】
【特許文献１】特開２０１１−１９０９８１号公報
【特許文献２】特開２００９−１５６４７７号公報
【発明の概要】
【発明が解決しようとする課題】
【０００６】
前述のように、特許文献１のヒートポンプユニットにおいては、取付板２５に孔が形成されており、この孔に入水側接続金具５１、出水側接続金具５３を取り付けた後、入水側外部配管３１と入水側内部配管３２、出水側外部配管３４と出水側内部配管３３を周囲を焦がさないように気を付けながらロウ付けする必要があるが、このような組み立て作業は容易ではなく作業性が悪かった（なお、入水側外部配管３１と入水側接続金具５１、及び、出水側外部配管３４と出水側接続金具５３を予めロウ付けしてから取付板２５に組み付けることもできるが、このようにした場合でも、内部配管３２，３３から水熱交換器に至る配管を、周囲を焦がさない位置まで伸ばしてロウ付け箇所を新たに設けた場合、無駄に内部配管が長くなるため、コストアップと放熱ロスが増える原因となっていた。）。
【０００７】
これに対して、特許文献２が開示している従来の水熱交換用のヒートポンプユニットにおいては、特許文献１に示すような作業性の問題と無駄に内部配管が長くなる問題を回避して組み立てをより容易にするため、図６に示すように、予め水冷媒熱交換器と接続金具をロウ付けしたものを筐体内に組み付けるようにしているが、このような組み付けを可能にするためには、取付金具に切り欠きを設けることが必要となる。そして、このように取付金具に切り欠きを設ける場合は、組み立て後の水熱交換用ヒートポンプユニットにおいて、筐体によっても前記取付金具によっても外気と遮断できない隙間が存在することになってしまう。
【０００８】
前述のように、特許文献２が開示している従来の水熱交換用ヒートポンプユニットにおいては、取付金具に切り欠きを設けることが必要になる結果、この隙間を介して、戸外の冷気が筐体の内部に容易に侵入し、筐体内の内部温度、内部配管、及び熱交換器などを冷やしてしまい、ヒートポンプユニットによる沸き上げ・水熱交換効率を低下させてしまうという問題があった。また、従来の水熱交換用ヒートポンプユニットにおいては、接続金具は真鍮などの熱伝導性の高い金属製であり、接続金具の筐体の外側に露出又は突出した熱伝導性の高い部分が戸外の冷気により容易に冷却されてしまうため、ヒートポンプユニットによる沸き上げ・水熱交換効率が低下してしまうという問題があった。
【０００９】
本発明はこのような従来技術の問題点に着目してなされたものであって、装置の組み立てを容易にし、かつ前記の筐体又は取付板から露出又は突出した配管接続金具が外気で冷やされたり、前記筐体と配管接続金具及び取付板との間の隙間から容易に筐体内に侵入した冷たい外気により筐体内の配管や金具などが冷やされてしまうことにより、室外設置型ヒートポンプユニットの沸き上げ・水熱交換効率が低下してしまうことを有効に防止することができる、室外設置型ヒートポンプユニット及びその配管接続金具の保温キャップを提供することを目的とする。
【課題を解決するための手段】
【００１０】
このような課題を解決するための本発明による室外設置型ヒートポンプユニットは、屋外などの室外に設置され、外部の貯水タンク及び／又は暖房用放熱器から送られた水を熱交換して温水にするための熱交換器を収容した室外設置型ヒートポンプユニットであって、前記熱交換器を収容し、後記の配管接続金具を配置するための開口部を備えた筐体と、前記筐体外の貯水タンク及び／又は暖房用放熱器との間で熱交換前の水及び熱交換後の温水をそれぞれ移動させるための外部配管と、前記筐体内の熱交換器との間で熱交換前の水及び熱交換後の温水をそれぞれ移動させるための内部配管とを、それぞれ互いに接続する配管接続金具と、前記配管接続金具を自らの切り欠き内又はこの切り欠きと連通した孔内に配置した状態で自らに固定し、自らが前記筐体の開口部の少なくとも大部分を覆うように、自らの外周又はその近傍部分が前記筐体の開口部の外周縁部又はその近傍部分に固定される取付板であって、前記配管接続金具の前記内部配管と接続される内部接続口及びその周辺部分が前記筐体の内側に配置され、前記配管接続金具の前記外部配管と接続される外部接続口及びその周辺部分が前記筐体の外側に配置され突出されるように、前記配管接続金具を前記筐体の開口部に配置するための取付板と、前記配管接続金具の前記取付板よりも外側に露出又は突出する部分を覆い、且つ、前記筐体の前記配管接続金具が配置される開口部の一部から成る隙間であって前記露出又は突出する部分の近傍の隙間を外部に対して塞ぐようなサイズ及び形状に形成された保温キャップと、を備えたことを特徴とするものである。
【００１１】
また、本発明による室外設置型ヒートポンプユニットにおいては、前記保温キャップは、前記露出又は突出する部分に対して２つの方向から取り付けられるような２つの保温キャップ片に分割されており、その各分割された保温キャップ片には、それぞれ、それらが互いに前記２つの方向から取り付けられたとき前記露出又は突出する部分が収容される空洞部を形成可能な凹部が形成されていることが望ましい。
【００１２】
また、本発明による室外設置型ヒートポンプユニットの筐体開口部に配置される配管接続金具を保温するための配管接続金具用保温キャップは、屋外などの室外に設置され、外部の貯水タンク及び／又は暖房用放熱器から送られた水を熱交換して温水にするための熱交換器を収容した室外設置型ヒートポンプユニットの筐体の開口部に配置され、前記筐体外の貯水タンク及び／又は暖房用放熱器との間で熱交換前の水及び熱交換後の温水をそれぞれ移動させるための外部配管と、前記筐体内の熱交換器との間で熱交換前の水及び熱交換後の温水をそれぞれ移動させるための内部配管とを、それぞれ互いに接続する配管接続金具を、外気に対して保温するために用いられ、前記筐体の開口部の少なくとも大部分を覆うように前記筐体に固定される取付板の切り欠き内又はこの切り欠きと連通した孔内に配置された状態で前記取付板に固定され、前記内部配管と接続される内部接続口及びその周辺部分が前記筐体の内側に配置され、前記外部配管と接続される外部接続口及びその周辺部分が前記筐体の外側に配置され突出されるように、前記取付板に固定された状態で前記筐体の開口部に配置される配管接続金具の、前記取付板よりも外側に露出又は突出する部分を保温するために取り付けられるものであり、前記露出又は突出する部分を覆い、且つ、前記筐体の前記配管接続金具が配置される開口部の一部から成る隙間であって前記露出又は突出する部分の近傍の隙間を外部に対して塞ぐようなサイズ及び形状に形成されて成ることを特徴とするものである。
【００１３】
さらに、本発明による配管接続金具用保温キャップは、前記露出又は突出する部分に対して２つの方向から取り付けられるような２つの保温キャップ片から成り、その各保温キャップ片には、それぞれ、それらが互いに前記２つの方向から取り付けられたとき前記露出又は突出する部分が収容される空洞部を形成可能な凹部が形成されていることが望ましい。
【発明の効果】
【００１４】
本発明による室外設置型ヒートポンプユニットにおいては、前述のように、前記筐体の開口部に前記取付板を介して固定するように配置された前記配管接続金具に対して、前記配管接続金具の前記取付板よりも外側（筐体の外側）に露出又は突出する部分を覆い、且つ、前記筐体の前記配管接続金具が配置される開口部の一部から成る隙間であって前記露出又は突出する部分の近傍の隙間を外部に対して塞ぐようなサイズ及び形状に形成された保温キャップを、取り付けるようにした。よって、本発明によれば、前記保温キャップにより、前記配管接続金具の前記露出又は突出した部分が外気で冷やされたり、前記筐体と配管接続金具及び取付板との間の隙間から容易に筐体内に侵入した冷たい外気により筐体内の配管や金具などが冷やされてしまうことにより、室外設置型ヒートポンプユニットの沸き上げ・水熱交換効率が低下してしまうことを、有効に防止できるようになる。
【００１５】
また、本発明による室外設置型ヒートポンプユニットの筐体の開口部に配置される配管接続金具を保温するための配管接続金具用保温キャップを使用するときは、前記保温キャップにより、前記筐体の開口部に配置される前記配管接続金具の前記取付板よりも外側（筐体の外側）に露出又は突出する部分が覆われると共に、前記筐体の前記配管接続金具が配置される開口部の一部から成る隙間であって前記露出又は突出する部分の近傍の隙間が塞がれるようになる。よって、本発明によれば、前記配管接続金具の前記露出又は突出する部分が外気で冷やされたり、前記筐体と配管接続金具及び取付板との間の隙間から容易に筐体内に侵入した冷たい外気により筐体内の配管や金具などが冷やされてしまうことにより、室外設置型ヒートポンプユニットの沸き上げ・水熱交換効率が低下してしまうことを、有効に防止できるようになる。
【００１６】
また、特に、本発明において、前記保温キャップを、前記配管接続金具中の前記露出又は突出する部分に対して２つの方向から取り付けられるような２つの保温キャップ片により構成し、前記各保温キャップ片にそれぞれ前記露出又は突出する部分が収容される空洞部を形成可能な凹部を形成するようにしたときは、前記筐体の開口部に前記取付板を介して前記配管接続金具を固定するように配置した後に前記露出又は突出する部分に前記保温キャップを取り付けることが極めて容易に行なえるようになる。
【図面の簡単な説明】
【００１７】
【図１】本発明の実施例１による室外設置型の給湯機用ヒートポンプユニットを示す斜視図である。
【図２】本実施例１における筐体と接続金具と取付板の関係を示し、さらに前記接続金具の一部が前記取付板から外側（筐体外）に露出又は突出している状態を示す斜視図である。
【図３】本実施例１に係る保温キャップを構成する２つの保温キャップ片を示す斜視図である。
【図４】本実施例１において配管用の接続金具に保温キャップ又は保温キャップ片を取り付けた状態を示す斜視図である。
【図５】従来のヒートポンプユニットの筐体の上面を外した状態を示す模式図である。
【図６】従来のヒートポンプユニットの他の例を示す図である。
【発明を実施するための形態】
【００１８】
本発明を実施するための最良の形態は、以下の実施例１について述べるような形態である。
【実施例１】
【００１９】
以下、本発明の実施例１による室外設置型の給湯機用ヒートポンプユニット及びこれに使用する保温キャップについて説明する。図１は本実施例１に係る室外設置型の給湯機用ヒートポンプユニットの一部を示す斜視図、図２はこの室外設置型の給湯機用ヒートポンプユニットの筐体と配管用の接続金具と取付板を示す拡大斜視図である。
【００２０】
図１において、１は筐体、２は前記筐体１の側面に固定されたカバー、２ａは前記カバー２の一部に形成された開口部で後述する外部配管を通すための開口部である。
【００２１】
次に図２は図１に示す前記カバー２の内側の部分を示すもので、前記のカバー２と筐体１（図２の下側基台１ａ以外の筐体部分）とを取り外した状態を示す斜視図である。図２において、１ａは前記筐体１の下側基台、３は筐体１内に収容されており水と冷媒の熱とを熱交換するための水熱交換器、４は前記水熱交換器３に外部からの熱交換前の水を送るための入水側内部配管、５は前記水熱交換器３からの熱交換後の温水を外部に送るための出水側内部配管、６は前記入水側内部配管４を外部の貯水タンク（図示せず）からの入水側外部配管（図示せず）と接続するための例えば真鍮製の入水側接続金具、６ａは前記入水側接続金具６に形成され入水側外部配管（図示せず）の端部を接続するための入水側外部接続口、６ｂは配管回路を手動で開閉するための弁棒、７は前記出水側内部配管５を外部の貯水タンク（図示せず）に繋がっている出水側外部配管（図示せず）と接続するための例えば真鍮製の出水側接続金具、７ａは前記出水側接続金具７に形成され前記出水側外部配管（図示せず）の端部を接続するための出水側外部接続口、７ｂは配管回路を手動で開閉するための弁棒、８は前記入水側接続金具６及び出水側接続金具７がネジ９ａ，９ｂなどにより取り付けられる金属製の取付板である。
【００２２】
図２に示すように、前記取付板８は、ネジ１０により前記下側基台１ａに取付け固定されている。また、前記取付板８は、前記筐体１の側面に形成された開口部（図示せず）に対向するように配置され、その状態で、前記筐体１に固定される。具体的には、前記取付板８は、その４隅にそれぞれ形成された各孔１１と、前記筐体１の開口部の外周縁部の前記各孔１１に対応する各位置に形成された各孔（図示せず）とが例えばネジなどにより互いに締結されることにより、前記筐体１に対して、前記筐体１の開口部の大部分を塞ぐように、固定される。
【００２３】
また、図２に示すように、前記取付板８には、その略中央に２つの孔（図２では前記各接続金具６，７の存在により見えない）が形成されており、前記各接続金具６，７の一部（前記各内部配管４，５と接続される部分）がこれらの２つの孔にそれぞれ挿通されている。また、前記取付板８には、これらの２つの孔と前記取付板８の図示右側端部とを繋ぐ切り欠き８ａ，８ｂが、図示左右方向に延びるように、それぞれ形成されている。
【００２４】
前記取付板８に前記２つの切り欠き８ａ，８ｂを形成した理由は次のとおりである。すなわち、本実施例１において、入水側内部配管４、入水側接続金具６、出水側内部配管５、及び出水側接続金具７を筐体１に取り付ける際には、取り付け作業の容易化のため、入水側内部配管４と入水側接続金具６、及び、出水側内部配管５と出水側接続金具７をそれぞれロウ付けし一体化したものを取付板８に組み込むようにしているが、このような組み込みを行うためには、前記２つの切り欠き８ａ，８ｂが必要となるからである。なお、取付板８は筐体１外面と図示してない外部配管との距離をあけるため外面に張り出しているが、これにより外部配管への保温作業がしやすくなっている。
【００２５】
ところで、前述のように入水側内部配管４と入水側接続金具６、及び、出水側内部配管５と出水側接続金具７をそれぞれロウ付けし一体化したものを取付板８に組み込むために前記取付板８に切り欠き８ａ，８ｂが形成される結果、前記各接続金具６，７が取り付けられた前記取付板８が前記筐体１に固定された状態においては、必ず前記切り欠き８ａ，８ｂが前記筐体１の開口部の一部と対向することになる。その結果、前記筐体１の開口部の一部に隙間が生じてしまい、この隙間から外気が容易に筐体１内に侵入してしまうという問題が生じてしまう。
【００２６】
このような問題に対処するため、本実施例１においては、新たに、図３及び図４に示すような保温キャップ１２を、この室外設置型の給湯機用ヒートポンプユニットに備えるようにした。図３は本実施例１に係る保温キャップ１２を構成する２つの保温キャップ片１３，１４を説明するための斜視図、図４はこの各保温キャップ片１３，１４が本実施例１の前記各接続金具６，７の前記取付板８から外側に露出又は突出する突出部分（図２参照）に取り付けられた状態を示す斜視図で、図４（ａ）は下方の入水側接続金具６の前記突出部分にのみ図３の２つの保温キャップ片１３，１４が取り付けられた段階を示す図、図４（ｂ）は上記（ａ）の段階からさらに進んで上方の出水側接続金具７の突出部分の下半分だけに保温キャップ片１３が取り付けられた段階を示す図、図４（ｃ）は上記（ｂ）の段階からさらに進んで上方の出水側接続金具７の突出部分の上半分にも保温キャップ片１４が取り付けられた段階を示す図である。
【００２７】
図３において、１３，１４は、前記各接続金具６，７の前記取付板８より外側（筐体１より外側）に露出又は突出している突出部分（図２参照）をその上方向及び下方向からそれぞれ覆うように、互いに重ね合わせられるように接続されることにより、一つの保温キャップ１２を構成するものである。前記各保温キャップ片１３，１４は、例えば発泡スチロールなどの発泡材により形成されている。
【００２８】
図３及び図４において、１３ａ，１４ａは、前記各保温キャップ片１３，１４が前記突出部分を覆うように互いに接続されたとき、前記各接続金具６，７（図２参照）の本体が収容される空洞部が形成されるように、前記接続時に互いに対向する面の略中央部分に形成された凹部である。また、１３ｂ，１４ｂは、前記各保温キャップ片１３，１４が前記突出部分を覆うように互いに接続されたとき、前記各外部接続口６ａ，７ａが挿通される（図４参照）開口部が形成されるように、前記接続時に互いに対向する端部に形成された切り欠き部である。また、１３ｃ，１４ｃは、前記各保温キャップ片１３，１４が前記突出部分を覆うように互いに接続されたとき、前記各内部配管４，５が挿通される開口部が形成されるように、前記接続時に互いに対向する端部に形成された切り欠き部である。また、１３ｄ，１４ｄは、前記各保温キャップ片１３，１４が前記突出部分を覆うように互いに接続されたとき、前記各手動用弁棒６ｂ，７ｂが挿通される（図４参照）開口部が形成されるように、前記接続時に互いに対向する端部に形成された切り欠き部である。
【００２９】
また、図３及び図４において、１３ｅ，１４ｅは、前記各保温キャップ片１３，１４が互いに重ね合わせられたとき互いの接続状態を保持できるように、互いに摩擦力が生じるように嵌め合わせ状態とする（図３の矢印α参照）ための突部及び凹部である。また、１３ｆ，１４ｆも、前記各保温キャップ片１３，１４が互いに重ね合わせられたとき互いの接続状態を保持できるように、互いに摩擦力が生じるように嵌め合わせ状態とする（図３の矢印β参照）ための突部及び凹部である。
【００３０】
本実施例１では、前記各保温キャップ片１３，１４は、それらが前記突出部分（前記接続金具６，７の、前記取付板８から外側に露出又は突出している部分）を覆うように互いに接続されるときは、図３の矢印Ｂ及び矢印Ｃの方向にそれぞれ移動することにより、前記取付板８に対向又は接触するように配置される（図４参照）。そして、本実施例１では、前記各保温キャップ片１３，１４は、その前記取付板８に対向又は接触する対向面（図３の矢印Ｂ，Ｃ側の面）が、前記接続金具６，７の前記取付板８と対向する仮想の切断面の約２〜５倍以上の大きな面積となるように、形成されている
【００３１】
したがって、本実施例１においては、前記各保温キャップ片１３，１４が互いに接続されたときは、図４（ｂ）などに示されるように、前記各保温キャップ片１３，１４が、前記突出部分を覆うだけでなく、前記取付板８の切り欠き８ａ，８ｂ（図２参照）と筐体１の開口部とが対向することにより生じている隙間をも塞ぐようになる。すなわち、本実施例１において前記各保温キャップ片１３，１４が互いに接続されたときは、前記隙間は、前記各保温キャップ片１３，１４の前記取付板８の前記切り欠き８ａ，８ｂ側に対向する突出片１３ｇ，１４ｇなどにより外部と遮断される（図４参照）。
【００３２】
よって、本実施例１によれば、前記保温キャップ１２を備えることにより、前記接続金具６，７中の前記突出部分が保温されるだけでなく、前記筐体１の開口部と前記取付板８の切り欠き８ａ，８ｂとが対向することにより生じる隙間、及びその他の隙間が塞がれるので、前記隙間から冷たい外気が筐体内に侵入して室外設置型ヒートポンプユニットの沸き上げ・水熱交換効率が低下してしまうことを防止できるようになる。
【００３３】
以上、本発明の実施例について説明したが、本発明は前記実施例として述べたものに限定されるものではなく、様々な修正及び変更が可能である。例えば、前記実施例１においては、前記各保温キャップ片１３，１４を発泡スチロールなどの発泡材により成形するようにしたが、本発明ではこれに限られるものではなく、他の様々な断熱性・保温性の高い素材により成形することが可能である。また、前記実施例１においては、空気を熱源としてこれから取り出した熱を利用して水を熱交換する給湯機用ヒートポンプユニットを例に説明したが、本発明は、これに限定されるものではなく、例えば地熱などのような様々な熱源からの熱を利用して水などの流体を熱交換する室外設置型ヒートポンプユニットにも適用可能である。また、前記実施例１においては、貯水タンクからの水を熱交換するために使用される室外設置型ヒートポンプユニットに本発明を適用した例について説明したが、本発明は、例えば暖房用放熱器（ファンコイルユニットに限らず床暖房用放熱器などをも含む）からの水を熱交換するために使用される室外設置型ヒートポンプユニットなどにも適用できることは勿論である。
【符号の説明】
【００３４】
１     筐体
１ａ   下側基台
２     カバー
３     水熱交換器
４     入水側内部配管
５     出水側内部配管
６     入水側接続金具
６ａ   入水側外部接続口
７     出水側接続金具
７ａ   出水側外部接続口
８     取付板
８ａ，８ｂ    切り欠き
９ａ，９ｂ，１０     ネジ
１１   孔
１２   保温キャップ
１３，１４    保温キャップ片
１３ｇ，１４ｇ 突出片
【図１】
2013213618.tif 000003
【図２】
2013213618.tif 000004
【図３】
2013213618.tif 000005
【図４】
2013213618.tif 000006
【図５】
2013213618.tif 000007
【図６】
2013213618.tif 000008